(57)【要約】【課題】主編地部に筒状編地部を形成してなる編地の編成方法において、主編地部の編目方向を一定としつつ、主編地部の編成途中に筒状編地部をその形成位置や形成数の制約を受けることなく形成した編地及びその編成方法の提供を目的とする。【解決手段】主編地部に筒状編地部を形成してなる編地の編成方法は、主編地部２の一部の編目の編成を一旦休止させ、空針に掛け目を形成し、筒状編地部３に用いる主編地部２の編目と、前記掛け目のうち筒状編地部３の編成に用いる掛け目とで筒状編地部２を編成し、筒状編地部２の最終コースの編目を払い落とした後、残りの掛け目と編成を休止させていた主編地部２の編目とで後続の主編地部２を編成することを特徴とするものである。【選択図】図１
2010013751.tif 000002
【特許請求の範囲】
【請求項１】
少なくとも前後一対の針床を設けた横編機で編成される主編地部に筒状編地部を形成してなる編地の編成方法において、主編地部の編成途中に筒状編地部を編成するに際し、主編地部の編目のうち筒状編地部の編成に用いる編目を除く主編地部の編目の編成を一旦休止させ、少なくとも一方の針床の空針に編糸を給糸して掛け目を形成し、筒状編地部に用いる主編地部の編目と、前記掛け目のうち筒状編地部の編成に用いる掛け目とで筒状編地部を編成し、筒状編地部の最終コースの編目を針床の編針から払い落とした後、前記掛け目のうち筒状編地部の編成に用いなかった残りの掛け目と、編成を休止させていた主編地部の編目とで後続の主編地部を編成することにより、主編地部に筒状編地部を形成するようにしたことを特徴とする主編地部に筒状編地部を形成してなる編地の編成方法。
【請求項２】
掛け目を、連続した編針に編糸を給糸することにより形成するとともに、筒状編地部を、前記掛け目のうち一つおきの掛け目を用いて編成することを特徴とする請求項１に記載の筒状編地部を形成してなる編地の編成方法。
【請求項３】
少なくとも前後一対の針床を設けた横編機で編成される主編地部に筒状編地部を形成してなる編地であって、筒状編地部の形成位置までに編成された主編地部の一部の編目と、筒状編地部の編成に際し空針に編糸を給糸して形成された掛け目のうち筒状編地部の編成に用いる掛け目とで筒状編地部が編成され、筒状編地部の編成に用いられなかった残りの掛け目と、筒状編地部の編成に用いられず休止されていた主編地部の編目とで後続の主編地部が編成されることにより、筒状編地部の編目の方向は主編地部と筒状編地部との境界位置から筒状編地部の端部側に向けて形成され、主編地部の編目の方向は筒状編地部の形成位置にかかわらず、主編地部の編み出し部分から編み終わり部分に向けて一定に形成されていることを特徴とする主編地部に筒状編地部を形成してなる編地。
【発明の詳細な説明】
【技術分野】
【０００１】
本発明は、横編機で編成される編地及びその編成方法に係り、更に詳しくは筒状編地部を形成してなる編地及びその編成方法に関するものである。
【背景技術】
【０００２】
従来、横編機で編成される主編地部に筒状編地部を形成してなる編地及びその編成方法として、図４に示すように、タートルネックのノースリーブ１０について成型編みを行う場合等には、２つの給糸口を使って前後身頃１１，１２の裾部分Ｄからそれぞれの針床で矢印の方向に平面状編地の編成を開始し、該前後身頃１１，１２の双方の肩部分Ｓ形成位置において、重ね目などにより両者の上端部を接合して肩部分Ｓを形成するとともに、前後身頃１１，１２の肩部分Ｓ以外の残った編目を用いて筒状編地部３０としての襟ぐりを編成するといった方法が知られている。
【０００３】
また、特許文献１には、主編地部に筒状編地部を形成する他の方法として、主編地部と筒状編地部とを前後針床の異なる位置で各々別々に編成した後、主編地部と筒状編地部とを接合するためラッキングを行って主編地部と筒状編地部とを対面させ、筒状編地部の一部の編目について主編地部の編目を係止する編針に目移して重ね目を形成し、伏せ目処理を行って筒状編地部の一部を主編地部に接続し、続いて、伏せ目処理を行わなかった主編地部及び筒状編地部の残りの編目で、後続する主編地部の編成を行うことの開示がある。
【０００４】
更に、下記特許文献２には、主編地部としての前後身頃を備えた衣類に関する開示があり、該前後身頃の襟形成位置に、ほつれなし縁として伏せ目を行う方法が開示されている。
【０００５】
【特許文献１】米国特許６，２１６，４９４号
【特許文献２】特許２５９４４７９号公報
【発明の開示】
【発明が解決しようとする課題】
【０００６】
図４に示すタートルネックのノースリーブの編成方法では、筒状編地部３０の形成可能な位置が主編地部２０としての前後それぞれの身頃編成が終了した位置のみであるため、主編地部２０としての前後身頃１１，１２の複数箇所に対し自由に筒状編地部３０を形成することができない。
また、対向する前後身頃を肩位置にて接合するため、重ね目などによる接合ラインが筋状に形成される。
そして、主編地部を構成する編目の方向が接合ラインの前後で逆方向に反転した状態となる。
【０００７】
上記特許文献１に記載の方法においても、主編地部と筒状編地部の接合の際重ね目及び伏せ目により接合ラインが形成される。
【０００８】
また、上記特許文献２に開示の方法では、前身頃から後身頃へ、又は後身頃から前身頃へと編成を行い、編成途中に形成するため主編地部に形成する開口部の位置の制約を受けず、前後身頃を編み続けるので、筋状の接合ラインが形成されないが、襟部分の開口部は伏せ目処理により形成するとの開示がなされており、開口部の一部に対し伏せ目を行ってしまうので、この伏せた編目に続けて筒状編地部を編成することは難しい。
【０００９】
本発明は、上記した従来の問題点に鑑みてなされたものであって、主編地部に筒状編地部を形成してなる編地の編成方法において、主編地部の編目方向を一定としつつ、主編地部の編成途中に筒状編地部をその形成位置や形成数の制約を受けることなく形成した編地及びその編成方法の提供を目的とする。
【課題を解決するための手段】
【００１０】
上記目的を達成するために、本発明に係る主編地部に筒状編地部を形成してなる編地の編成方法は、少なくとも前後一対の針床を設けた横編機で編成される主編地部に筒状編地部を形成してなる編地の編成方法において、主編地部の編成途中に筒状編地部を編成するに際し、主編地部の編目のうち筒状編地部の編成に用いる編目を除く主編地部の編目の編成を一旦休止させ、少なくとも一方の針床の編針に編糸を給糸して掛け目を形成し、筒状編地部に用いる主編地部の編目と、前記掛け目のうち筒状編地部の編成に用いる掛け目とで筒状編地部を編成し、筒状編地部の最終コースの編目を針床の編針から払い落とした後、前記掛け目のうち筒状編地部の編成に用いなかった残りの掛け目と、編成を休止させていた主編地部の編目とで後続の主編地部を編成することにより、主編地部に筒状編地部を形成するようにしたことを特徴とするものである。
【００１１】
また、前記構成において、掛け目を、連続した編針に編糸を給糸することにより形成するとともに、筒状編地部を、前記掛け目のうち一つおきの掛け目を用いて編成するものである。
【００１２】
そして、本発明に係る主編地部に筒状編地部を形成してなる編地は、少なくとも前後一対の針床を設けた横編機で編成される主編地部に筒状編地部を形成してなる編地であって、筒状編地部の形成位置までに編成された主編地部の一部の編目と、筒状編地部の編成に際し編針に編糸を給糸して形成された掛け目のうち筒状編地部の編成に用いる掛け目とで筒状編地部が編成され、筒状編地部の編成に用いられなかった残りの掛け目と、筒状編地部の編成に用いられず休止されていた主編地部の編目とで後続の主編地部が編成されることにより、筒状編地部の編目の方向が、主編地部と筒状編地部との境界位置から筒状編地部の端部側に向けて形成され、主編地部の編目の方向は筒状編地部の形成位置にかかわらず、主編地部の編み出し部分から編み終わり部分に向けて一定に形成されている構成にしてある。
【発明の効果】
【００１３】
本発明に係る主編地部に筒状編地部を形成してなる編地の編成方法は、主編地部の一部の編目の編成を一旦休止させ、空針に掛け目を形成し、筒状編地部に用いる主編地部の編目と、前記掛け目のうち筒状編地部の編成に用いる掛け目とで筒状編地部を編成し、筒状編地部の最終コースの編目を払い落とした後、残りの掛け目と編成を休止させていた主編地部の編目とで後続の主編地部を編成するので、主編地部と筒状編地部との繋がりを重ね目や伏せ目を形成することなく行うことができ、主編地部の編目方向を一定としつつ、主編地部中の筒状編地形成位置及び形成数について制約を受けない編地の編成方法が提供できる。
【００１４】
また、掛け目を、連続した編針に編糸を給糸することにより形成するとともに、筒状編地部を、前記掛け目のうち一つおきの掛け目を用いて編成する場合は、該掛け目間の編糸を短くすることができるので、掛け目から筒状編地部と主編地部の編目をそれぞれ形成する際の筒状編地部と主編地部との繋ぎ目を目立たなくすることができる。
【００１５】
そして、本発明に係る主編地部に筒状編地部を形成してなる編地は、主編地部の一部の編目と、空針に形成された掛け目のうち筒状編地部の編成に用いる掛け目とで筒状編地部が編成され、残りの掛け目と、休止されていた主編地部の編目とで後続の主編地部が編成されることにより、筒状編地部の編目の方向が、主編地部と筒状編地部との境界位置から筒状編地部の端部側に向けて形成されているので、主編地部を筒状編地部の編成中休止し、筒状編地部の編成後再開するために、主編地部の編目方向を一定とすることが可能である。
また、主編地部と筒状編地部とが重ね目や伏せ目を形成することなく繋がっているために境界位置にラインが形成されず、きれいな仕上がりの編地の提供が可能である。
そして、主編地部中の筒状編地形成位置、形成数について制約を受けず、主編地部中に筒状編地部を自由に形成した編地となる。
【発明を実施するための最良の形態】
【００１６】
以下、本発明に係る筒状編地部を形成してなる編地及びその編成方法の最も好ましい実施の形態を図面に基づいて説明する。尚、以下に述べる実施形態では、図示は省略したが、２枚の針床を設けた横編機を使用し、主編地部に筒状編地部を形成してなる編地を編成する。
【００１７】
図１は本願発明の実施の形態に係る主編地部に筒状編地部を形成してなる編地の斜視図であり、図２，３は前記編地の編成図である。
【００１８】
本実施の形態に係る主編地部２に筒状編地部３を形成してなる編地１は、図１に示すように、平面状編地としての主編地部２に筒状編地部３が形成されている。
該筒状編地部３は、主編地部２を貫通して形成された開口部６を構成している。
尚、本実施形態では筒状編地部３及び主編地部２の編成を天竺編により編成する場合の説明を行うが、これに限定されず、例えば、ガーター編、リブ編等の他の編み組織であってもよく、これらの編組織と天竺編とを複数種類を組み合わせた複合的な組織としてもよい。
【００１９】
筒状編地部３の編目の方向は、図１において矢印Ａで示すように主編地部２と筒状編地部３との境界位置Ｋから筒状編地部３の端部Ｔ側に向けて形成されており、主編地部分２の編目の方向は矢印Ｂで示すように筒状編地部３の形成位置にかかわらず、主編地部２の編み出し部分から編み終わり部分に向けて一定に形成されている。
また、主編地部２と筒状編地部３との境界位置Ｋは全周に亘って重ね目または伏せ目などが形成されることがなく、筒状編地部３と主編地部２との境界部分が目立たずきれいな仕上がりにすることが可能となるとともに、編地の伸縮性を損なうこともない。
【００２０】
筒状編地部３の端部Ｔ側は、熱収縮性糸を用いて解れ止めなどの端部処理が施されているが、伏せ目処理を行ってもよく、そのままの状態で編み終えてもよい。
【００２１】
次に、図２，３を参照して、筒状編地部３の編成方法を説明する。
図２，３は編地の編成方法を示し、図中、左側の数字は編成のステップを示し、各ステップにおけるＦは前針床、Ｂは後針床として示している。
そして、英小文字ａ，ｂ，ｃ，・・・，ｑは前針床Ｆの編針を示し、英大文字Ａ，Ｂ，Ｃ，・・・，Ｑは後針床Ｂの編針を示し、各ステップ中、三角マークは給糸口４，５を示す。
【００２２】
更に、給糸口４，５から給糸されて新たに形成される編目を黒丸、編針に係止する旧編目を白丸、掛け目及びタック目をＶ字、目移しを矢印でそれぞれ示す。
各ステップにおいては便宜上、前後針床Ｆ，Ｂの編針を示す大小英文字は適宜省略してあり、その編針の数も説明の便宜上、実際の数よりも少なく表示してある。
前後針床Ｆ，Ｂの右方に示す矢印はキャリッジの移動方向を示している。
【００２３】
ステップ１は、前針床Ｆの編針で主編地部２としての編地を編成するため、前針床Ｆの編針ｂ〜ｐに対し左方から右方へと１本おきの編針で編成した状態を示している。
ステップ２は、給糸口４を右方から左方に移動してステップ１と同じ前針床Ｆの編針ｂ〜ｐに一本おきの編針で主編地部２を形成した状態を示し、ステップ１，２を繰り返し行うことで所望の主編地部２を編成する。
ステップ３は、前針床Ｆの編針ｂ，ｄで主編地部２の一部を編成した状態を示す。
ステップ４は、前針床Ｆの編針ｄのみタック目を形成した状態を示す。
【００２４】
ここで、主編地部２の編成途中に筒状編地部３を編成するに際し、主編地部２の編目のうち、前針床Ｆの編針ｆ，ｈ，ｊ，ｌに係止する編目を筒状編地部３の編成に用い、これら編目を除く前針床Ｆの編針ｂ，ｄ，ｎ，ｐに係止する主編地部２の編目の編成を一旦休止させる。
また、ステップ４で、前針床Ｆの編針ｄに係止する編目に対しタック編成することで、筒状編地部３に隣接する主編地部２の編目を小さく形成することができ、これにより、筒状編地部３との境界位置Ｋの編地に孔が開くなどして目立つのを防いでいる。
【００２５】
ステップ５は、後針床Ｂの編針Ｄ，Ｅ，Ｆ，Ｇ，Ｈ，Ｉ，Ｊ，Ｋに、掛け目を形成した状態を示している。
【００２６】
また、本実施形態では、掛け目を後針床Ｂの編針Ｄ〜Ｋを用いて形成したが、前後針床Ｆ，Ｂの編針Ｄ，ｅ，Ｆ，ｇ，Ｈ，ｉ，Ｊ，ｋにジグザグ状に形成してもよい。
このように掛け目の形成の際、前後針床Ｆ，Ｂの編針にジグザグ状に形成する場合に比較して、同一針床上の連続した編針Ｄ〜Ｋに形成する方が、掛け目の形成に用いる編糸が短く抑えられ、該掛け目を小さくすることができ、筒状編地部３と主編地部２との境界位置Ｋを目立ちにくくする。
【００２７】
ステップ６は、前針床Ｆの編針ｆ，ｈ，ｊ，ｌに係止する主編地部２の編目を用いて筒状編地部３を形成するため、前針床Ｆの編針ｌ，ｊ，ｈ，ｆの順に編目を形成した状態を示す。
ステップ７は、ステップ５で形成した後針床Ｂの編針Ｅ，Ｇ，Ｉ，Ｋに係止する掛け目を保持したままの状態で、編針Ｄ，Ｆ，Ｈ，Ｊを用いて針抜き編成により筒状編地部３の編目を形成した状態を示す。
【００２８】
このように一つおきの掛け目を用いた規則正しい編成とすることで、均一な編目となり、筒状編地部３と後続の主編地部２との繋ぎ目部分が目立つのを防止する。
【００２９】
ステップ８は、前針床Ｆの編針ｌ，ｊ，ｈ，ｆの順に筒状編地部３の編目を形成した状態を示し、ステップ７及びステップ８とを所定回数繰り返すことにより、所定長さの筒状編地部３を編成する。
【００３０】
図３に示すステップ９は、筒状編地部３の最終コースの編目を端部処理するため、ステップ１〜８で使用した給糸口４とは異なる給糸口５を用い、主編地部２に用いる編糸とは異なる編糸である熱収縮糸を後針床Ｂの編針Ｄ，Ｆ，Ｈ，Ｊで編成する状態を示す。
ステップ１０は、ステップ９と同じ給糸口５から熱収縮糸を前針床Ｆの編針ｌ，ｊ，ｈ，ｆで筒状編地部３の端部Ｔを形成する。
【００３１】
尚、上述したように、筒状編地部３の端部処理の方法はステップ９，１０に示す給糸口５からの熱収縮糸の編目形成に替えて、伏せ目処理により行い、この伏せ目処理に伴って筒状編地部３の最終コースの編目を前針床後Ｆ，Ｂの編針ｆ，ｈ，ｊ，ｌ，Ｄ，Ｆ，Ｈ，Ｊから払い落としてもよい。
【００３２】
ステップ１１は、前針床Ｆの編針ｆ，ｈ，ｊ，ｌに係止する筒状編地部３の最終コースの編目を払い落とした状態を示す。
ステップ１２は、後針床Ｂを１ピッチ右方にラッキングした後、キャリッジを左方に移動して後針床Ｂの編針Ｄ，Ｆ，Ｈ，Ｊに係止する筒状編地部３の編目を払い落し、筒状編地部３の編成に用いなかった後針床Ｂの編針Ｅ，Ｇ，Ｉ，Ｋに係止する掛け目が残った状態を示す。
ステップ１３は、ステップ１２のキャリッジの左方への移動の際、筒状編地部３の編目の払い落しと共に、後針床Ｂの編針Ｅ，Ｇ，Ｉ，Ｋに係止していた掛け目を前針床Ｆの編針ｆ，ｈ，ｊ，ｌに目移しした状態を示す。
【００３３】
ステップ１４は、前針床Ｆの編針ｆ，ｈ，ｊ，ｌ，ｎ，ｐに再び給糸口４で給糸して主編地部２の編目を形成した状態を示し、これにより、ステップ１３で目移しした掛け目と、編成を休止させていた前針床Ｆの編針ｎ，ｐに係止する主編地部２の一部の編目とで後続の主編地部２を編成する。
ステップ１５は、前針床Ｆの編針ｂ，ｄ，ｆ，ｈ，ｊ，ｌ，ｎ，ｐで主編地部２の編目を形成する状態を示す。
ステップ１６は、ステップ１５と同じ前針床Ｆの編針ｂ，ｄ，ｆ，ｈ，ｊ，ｌ，ｎ，ｐで主編地部２を編成する状態を示し、ステップ１５及びステップ１６を繰り返すことで所望する長さの主編地部２を編成する。
【００３４】
以上より、本実施形態に係る編地１は、主編地部２の編成後、該主編地部２の編成に引き続いて主編地部２の編目の一部と筒状編地部３と主編地部２とを繋ぐために設けた掛け目の一部とを使って筒状編地部３を編成し、この筒状編地部３の編目を払った後、後針床Ｂの編針Ｅ，Ｇ，Ｉ，Ｋに残っている掛け目とこれまで休止させていた主編地部２の編目で更に後続する主編地部２を編成する。
これにより、主編地部２と筒状編地部３との境界位置Ｋに重ね目や伏せ目のラインができないので見栄えを損なうことがなく、また良好な伸縮性を維持可能である。
【００３５】
そして、本実施形態に係る編地１は、主編地部２の編成途中において主編地部２の所望する一部の編目から筒状編地部３を編成するので、筒状編地部３の形成位置を自由に選択可能であり、且つ、一個の筒状編地部３を形成した後、後続の主編地部２に対して上述したステップ３〜１４の編成を行うことで一つの主編地部２に対し複数の筒状編地部３を所望する位置に自由に形成することができる。
【００３６】
また、主編地部２の編目の方向は筒状編地部３の形成位置にかかわらず、主編地部２の編み出し部分から編み終わり部分に向けて同一方向に形成されており、従来のように主編地部の途中に、主編地部としての前後身頃の重ね目などによる接合ラインが筋状に形成されることもなく、美観を損なわない。
【００３７】
尚、上記実施形態においては針床を前後２枚有する２枚ベッドの横編機を用いて１本おきの編針で編成を行ったが、本発明に係る筒状編地部を形成してなる編地およびその編成方法はこれに限定されず、針床を４枚有するいわゆる４枚ベッドの横編機を用いて編成してもよい。
また、上記実施形態においては主編地部２として平面状編地を編成する場合を示したが、主編地部を筒状編地としてもよい。
このように主編地部を筒状編地とする場合には、４枚ベッドの横編機を利用することにより２枚ベッドの横編機を利用するよりも、編針の配列ピッチが同じ針床の横編機を用いてより小さな編目を編成でき、またガーター編、リブ編等の編み組織を容易に形成できる。
【図面の簡単な説明】
【００３８】
【図１】本発明の一実施形態に係る筒状編地部を形成してなる編地の斜視図である。
【図２】前記編地の編成図である。
【図３】前記編地の編成図である。
【図４】従来の筒状編地部を形成してなる編地の斜視図である。
【符号の説明】
【００３９】
１  筒状編地部を形成してなる編地
２  主編地部
３  筒状編地部
４，５  給糸口
Ｆ  前針床
Ｂ  後針床
Ｋ  境界位置
Ｔ  筒状編地部の端部
【図１】
2010013751.tif 000003
【図２】
2010013751.tif 000004
【図３】
2010013751.tif 000005
【図４】
2010013751.tif 000006